(57)【要約】【課題】内部に収容する複数種類の化粧料を適宜交換することのできる化粧料容器を提供する。【解決手段】板状基台１に複数の貫通孔１０を形成し、これら各貫通孔１０に、下側からそれぞれ樹脂皿７を挿通させ、上記各貫通孔１０の下側円環状溝部１０ａと上記各樹脂皿７の下側円環状突条７ａとの係合により固定している。【選択図】図５
2004201921.tif 000002
【特許請求の範囲】
【請求項１】
板状基台に複数の貫通孔を形成し、これら各貫通孔に、下側からそれぞれ化粧皿を挿通させ、上記各貫通孔周壁の係合部と上記各化粧皿側面の被係合部との係合により固定したことを特徴とする化粧料容器。
【請求項２】
上記板状基台の裏面側に、上記貫通孔を蓋する底板を設けた請求項１記載の化粧料容器。
【発明の詳細な説明】
【０００１】
【発明の属する技術分野】
本発明は、化粧料容器に関するものである。
【０００２】
【従来の技術】
従来から、コンパクト容器等の化粧料容器には、複数種類の化粧料（例えば、色違いの化粧料）を収容するようにしたものがある。このような化粧料容器として、例えば、図１５に示すように、コンパクト容器もしくはコンパクト用中皿容器等の皿形容器３１の上面に３つの凹部３１ａを形成し、これら各凹部３１ａの底部に充填孔３２を穿設し、これら各充填孔３２から上記各凹部３１ａ内に、アイシャドウ等の化粧料を適当な溶剤に溶解等させて適当な粘度にした流体（図示せず）を所定の加圧下で注入したのち、上記流体中の溶剤等を吸収除去して固化させるようにしたものがある（例えば、特許文献１参照）。
【０００３】
【特許文献１】
特開平５−２１１９１６号公報（段落番号〔０００２〕）
【０００４】
【発明が解決しようとする課題】
しかしながら、上記のコンパクト容器等では、上記各凹部３１ａに、種類の異なる化粧料をそれぞれ別々に充填した場合に、これら化粧料のなかで、人気のあるもの（売れ筋のもの）と、あまり人気のないものとができると、あまり人気のない化粧料のために、上記のコンパクト容器等があまり売れず、多数の在庫品ができる。そこで、複数種類の化粧料を収容する化粧料容器で、人気のある化粧料と、あまり人気のない化粧料とができた場合等に、人気のある化粧料をメインに収容して販売等することができる化粧料容器の開発が強く望まれている。
【０００５】
本発明は、このような事情に鑑みなされたもので、内部に収容する複数種類の化粧料を適宜交換することのできる化粧料容器の提供をその目的とする。
【０００６】
【課題を解決するための手段】
上記の目的を達成するため、本発明の化粧料容器は、板状基台に複数の貫通孔を形成し、これら各貫通孔に、下側からそれぞれ化粧皿を挿通させ、上記各貫通孔周壁の係合部と上記各化粧皿側面の被係合部との係合により固定したという構成をとる。
【０００７】
すなわち、本発明の化粧料容器では、板状基台に形成した複数の貫通孔に、下側からそれぞれ化粧皿を挿通させると、上記各貫通孔周壁の係合部と上記各化粧皿側面の被係合部とが係合し、上記各貫通孔に化粧皿を固定することができる。したがって、上記各化粧皿にそれぞれ異なる種類の化粧料を充填した場合に、これら化粧料のなかで、人気のあるもの（売れ筋のもの）と、あまり人気のないものとができても、あまり人気のないものを収容せず、人気のあるものをメインに収容することができ、在庫品を減少させるか、もしくは無くすことができる。しかも、上記各貫通孔にそれぞれ化粧皿を挿通し、上記各貫通孔周壁の係合部と上記各化粧皿側面の被係合部とを係合させるだけで、上記各貫通孔に化粧皿を簡単に固定することができる。
【０００８】
本発明において、上記板状基台の裏面側に、上記貫通孔を蓋する底板を設けた場合には、上記板状基台の裏面側から化粧皿の底部が見えない。
【０００９】
【発明の実施の形態】
つぎに、本発明の実施の形態を図面にもとづいて詳しく説明する。
【００１０】
図１〜図３は本発明の化粧料容器の一実施の形態を示している。これらの図において、１はプラスチック製の板状基台であり、２は板状基台１の上面を蓋するプラスチック製（もしくは金属製）の蓋体である。上記板状基台１は、図４に示すように、その前端部上面に前側凹部３が形成されており、この前側凹部３の奥面に、上記蓋体２の前端部から下方に延びる係合爪２ａ（図１参照）の突条２ｂ（図５参照）に着脱自在に係合する突条３ａが形成されている。また、上記板状基台１の後端部上面に後側凹部４が形成されており、この後側凹部４の左右両側面から断面形状円形の一対の係合用凸部４ａが突設されている（図４参照および図５）。そして、上記両係合用凸部４ａに、上記蓋体２の後端部から下方に延びる連結部１８の左右両側面の係合用凹部１８ａ（図５参照）が回動自在に係合している。
【００１１】
また、上記板状基台１には、円形に形成された６つの貫通孔１０が前後２列に穿設されおり、これら各貫通孔１０に、図５および図６に示すように、化粧料６が充填された樹脂皿（化粧皿）７が固定されている。上記各貫通孔１０には、その内周面に、上記樹脂皿７の外周面に形成された下側円環状突条７ａ（化粧皿側面の被係合部）に係合する下側円環状溝部（貫通孔周壁の係合部）１０ａが形成されているとともに、その上側に、上記樹脂皿７の外周面に形成された上側円環状突条７ｂと係合してこれが上方へ移動するのを阻止する上側円環状溝部１０ｂが形成されている。また、上記各貫通孔１０の下端開口部は、下側にいくほど拡径する上窄まり状傾斜面１０ｃに形成されている。また、上記板状基台１には、その下面外周縁部から下方に延びる矩形枠状の弾性片１１が突条されており、この弾性片１１の内周面下端部に突設される凸部１１ａが、平板状に形成された底板８の外周面から突設される突条８ａ（図７参照）に係合している。
【００１２】
上記樹脂皿７は、図８および図９に示すように、略円筒形状に形成されており、その外周面に、上記各貫通孔１０の内周面の下側円環状溝部１０ａに係合する下側円環状突条７ａが突設されているとともに、この下側円環状突条７ａの上側に、上記各貫通孔１０の内周面の上側円環状溝部１０ｂに係合する上側円環状突条７ｂが形成されている。また、上記樹脂皿７の内周面は、上側大径円筒部分１３と、内向きに下り傾斜状に傾斜する中間傾斜状円筒部分１４と、下側小径円筒部分１５からなり、上記中間傾斜状円筒部分１４に、所定間隔をあけて（筋状の隙間１６ａをあけて）略扇形状の４つの突片１６が突設されている。これら各突片１６は、その上面が内向きに下り傾斜状に傾斜しているとともに、下面は水平面に形成されている。そして、これら各突片１６の内側で略円形の孔が形成されている。このような樹脂皿７を上記板状基台１の各貫通孔１０に固定した状態を図１０に示す。
【００１３】
上記蓋体２には、その前端部から係合爪２ａが下向きに延びており、この係合爪２ａの内面から、閉蓋時に上記板状基台１の前側凹部３の係合用突条３ａに着脱自在に係合する突条２ｂが突設されている（図５参照）。また、上記蓋体２には、その後端部から連結部１８が下向きに突設されており、この連結部１８の左右両側面に、上記板状基台１の後側凹部４の一対の係合用凸部４ａに回動自在に係合する一対の係合用凹部１８ａが形成されている（図５参照）。
【００１４】
上記樹脂皿７に化粧料６を充填する場合には、図１１に示すように、まず、上面に湾曲面状の凹部２０ａが設けられた金型２０を準備し、ついで、上記樹脂皿７を上下逆さにした状態で、上記金型２０の凹部２０ａに上記樹脂皿７の上側大径円筒部分１３の上端開口部を位置決めしてセットし、つぎに、上記樹脂皿７の下側小径円筒部分１５の下端開口部から化粧料６（図１１では、図示せず）を充填し、固化させたのち、金型２０から取り外すことを行う（図１２参照）。
【００１５】
また、このようにして化粧料６が充填された樹脂皿７を上記板状基台１に取り付ける場合には、上記板状基台１の貫通孔１０の下側に樹脂皿７を位置決めし、その状態から樹脂皿７を貫通孔１０に挿通し、上記貫通孔１０の両円環状溝部１０ａ，１０ｂに樹脂皿７の両円環状突条７ａ，７ｂに係合させて固定したのち、上記板状基台１の弾性片１１に底板８を固定することを行う。
【００１６】
このように、上記実施の形態では、上記板状基台１に形成した各貫通孔１０にそれぞれ、化粧料６が充填された樹脂皿７を固定させることができるため、上記各貫通孔１０に、化粧料６のなかで、人気のあるもの（売れ筋のもの）をメインに固定して販売することができ、在庫品を減少させることができる。しかも、上記板状基台１の貫通孔１０に下側から樹脂皿７を挿通するだけで、簡単に固定することができる。
【００１７】
図１３は本発明の化粧料容器の他の実施の形態を示している。この実施の形態では、６つの貫通孔１０が穿設された１枚の平板２１を作製し、この平板２１の各貫通孔１０にそれぞれ、化粧料６が充填された樹脂皿７を固定し、これを板状基台１に設けた開口部２２に固定するようにしている。それ以外の部分は上記実施の形態と同様であり、同様の部分には同じ符号を付している。この実施の形態でも、上記実施の形態と同様の作用・効果を奏する。
【００１８】
図１４は本発明の化粧料容器のさらに他の実施の形態を示している。この実施の形態では、図１〜図１２に示す実施の形態において、板状基台１の各貫通孔１０の形状および樹脂皿７の外形が四角形に形成されている。それ以外の部分は図１〜図１２に示す実施の形態と同様であり、同様の部分には同じ符号を付している。この実施の形態でも、図１〜図１２に示す実施の形態と同様の作用・効果を奏する。
【００１９】
なお、上記各実施の形態において、樹脂皿７の外周面に形成された両円環状突条７ａ，７ｂを板状基台１の各貫通孔１０の両円環状溝部１０ａ，１０ｂに着脱自在に係合させるようにしてもよい。また、上記板状基台１の弾性片１１の凸部１１ａに底板８の突条８ａを着脱自在に係合させるようにしてもよい。また、上記各実施の形態において、板状基台１の弾性片１１および底板８を省略することもできる。
【００２０】
【発明の効果】
以上のように、本発明の化粧料容器によれば、板状基台に形成した複数の貫通孔に、下側からそれぞれ化粧皿を挿通させると、上記各貫通孔周壁の係合部と上記各化粧皿側面の被係合部とが係合し、上記各貫通孔に化粧皿を固定することができる。したがって、上記各化粧皿にそれぞれ異なる種類の化粧料を充填した場合に、これら化粧料のなかで、人気のあるもの（売れ筋のもの）と、あまり人気のないものとができても、あまり人気のないものを収容せず、人気のあるものをメインに収容することができ、在庫品を減少させるか、もしくは無くすことができる。しかも、上記各貫通孔にそれぞれ化粧皿を挿通し、上記各貫通孔周壁の係合部と上記各化粧皿側面の被係合部とを係合させるだけで、上記各貫通孔に化粧皿を簡単に固定することができる。
【００２１】
本発明において、上記板状基台の裏面側に、上記貫通孔を蓋する底板を設けた場合には、上記板状基台の裏面側から化粧皿の底部が見えない。
【図面の簡単な説明】
【図１】本発明の化粧料容器の一実施の形態を示す正面図である。
【図２】上記化粧料容器の側面図である。
【図３】上記化粧料容器の平面図である。
【図４】板状基台の平面図である。
【図５】上記化粧料容器の断面図である。
【図６】上記化粧料容器の要部断面図である。
【図７】底板の平面図である。
【図８】樹脂皿の断面図である。
【図９】上記樹脂皿の平面図である。
【図１０】化粧料が充填されていない樹脂皿を板状基台に固定した状態を示す平面図である。
【図１１】上記樹脂皿に化粧料を充填する方法を示す断面図である。
【図１２】上記化粧料が充填された樹脂皿の断面図である。
【図１３】本発明の化粧料容器の他の実施の形態を示す正面図である。
【図１４】本発明の化粧料容器のさらに他の実施の形態を示す正面図である。
【図１５】従来例を示す斜視図である。
【符号の説明】
１  板状基台
７  樹脂皿
７ａ  下側円環状突条
１０  貫通孔
１０ａ  下側円環状溝部
【図１】
2004201921.tif 000003
【図２】
2004201921.tif 000004
【図３】
2004201921.tif 000005
【図４】
2004201921.tif 000006
【図５】
2004201921.tif 000007
【図６】
2004201921.tif 000008
【図７】
2004201921.tif 000009
【図８】
2004201921.tif 000010
【図９】
2004201921.tif 000011
【図１０】
2004201921.tif 000012
【図１１】
2004201921.tif 000013
【図１２】
2004201921.tif 000014
【図１３】
2004201921.tif 000015
【図１４】
2004201921.tif 000016
【図１５】
2004201921.tif 000017